(57)【要約】【課題】筐体に収容された第１電源回路基板とは別の第２電源回路基板を引出部に装着しやすくする。【解決手段】電源回路基板２３Ａ及び電源回路基板装着部３３８の全体が第１筐体３０４外に位置する装着位置で、第１引出板３３１が位置決めされる。この状態において、電源回路基板装着部３３８に、電源回路基板２３Ｖが装着される。このため、電源回路基板２３Ｖを第１引出板３３１に装着する際に、第１筐体３０４が干渉しにくく、電源回路基板２３Ｖを第１引出板３３１に装着しやすい。【選択図】図１０
2011107399.tif 000002
【特許請求の範囲】
【請求項１】
第１電源回路基板が収容された筐体と、
前記筐体内に設けられ、第２電源回路基板が装着可能とされた装着領域を有し、前記筐体から引出し可能な引出部と、
前記筐体から引き出された前記引出部を、前記装着領域の全体が前記筐体外に位置する装着位置で位置決めする位置決め部と、
を備える電源装置。
【請求項２】
前記第１電源回路基板は、前記装着領域に対して引出方向と交差する水平方向側に隣接して前記引出部に装着され、前記引出部が装着位置に位置する場合において、前記筐体外に位置する請求項１に記載の電源装置。
【請求項３】
前記位置決め部は、
前記筐体に設けられ、前記引出部をその引出方向へ案内する案内部材と、
前記案内部材に設けられ、前記装着位置に位置する前記引出部に当たって、前記引出部の引出方向への移動を規制する規制部と、
を有する請求項１又は請求項２に記載の電源装置。
【請求項４】
画像形成装置本体と、
前記第１電源回路基板が、前記画像形成装置本体に標準装備された標準部品へ電力を供給し、前記第２電源回路基板が、前記画像形成装置本体に追加された追加部品へ電力を供給する請求項１〜３のいずれか１項に記載の電源装置と、
を備える画像形成装置。
【発明の詳細な説明】
【技術分野】
【０００１】
本発明は、電源装置及び画像形成装置に関する。
【背景技術】
【０００２】
画像形成装置としては、特許文献１、２、３に開示される画像形成装置が公知である。特許文献１に開示される画像形成装置では、作像ユニット７ａ〜ｄを引き出し体４１に載置して画像形成装置本体に装着する構成とする。引き出し体４２は、２本のスライドレール４３によって本体へ保持され、引き出し自在である。引き出し体４２には引き出し体取手部４２、両側取手部４７を設ける。スライドレール４３には位置決めピン４４があり、引き出し体４１の位置決めと、ストッパーの役目をする。
【０００３】
特許文献２に開示される画像形成装置は、装置本体に対してスライド可能な作像ユニット144と、装置本体に対して開閉可能であって、前記作像ユニット144に当接して画像形成するための二次転写ローラ117を有する搬送扉155と、前記作像ユニット144を装置本体に装着した状態でロックするためのユニットロック手段と、前記搬送扉155を装置本体に閉じた状態で保持するためのラッチ機構と、を有し、前記ラッチ機構は前記ユニットロック手段のロック解除動作に連動して前記搬送扉155の保持が解除することを特徴とする。
【０００４】
特許文献３に開示される画像形成装置は、機体より引き出し可能なユニットを備えた画像形成装置であって、前記ユニットは、回動軸の一端に取り付けられたハンドル部材と、回動軸の他端に取り付けされたロック部材とを有し、前記ロック部材は、前記ハンドル部材の回動に従って回動するとともに、前記回動軸と垂直の回転軸を中心にそれ自体回転可能であることを特徴とする。
【先行技術文献】
【特許文献】
【０００５】
【特許文献１】特開２００４−１０９８８６号公報（図２）
【特許文献２】特開２００７−３０４５００号公報（図１）
【特許文献３】特開２０００−１４７９７７号公報
【発明の概要】
【発明が解決しようとする課題】
【０００６】
本発明は、筐体に収容された第１電源回路基板とは別の第２電源回路基板を引出部に装着しやすくすることを課題とする。
【課題を解決するための手段】
【０００７】
請求項１の発明は、第１電源回路基板が収容された筐体と、前記筐体内に設けられ、第２電源回路基板が装着可能とされた装着領域を有し、前記筐体から引出し可能な引出部と、前記筐体から引き出された前記引出部を、前記装着領域の全体が前記筐体外に位置する装着位置で位置決めする位置決め部と、を備える電源装置である。
【０００８】
請求項２の発明は、前記第１電源回路基板は、前記装着領域に対して引出方向と交差する水平方向側に隣接して前記引出部に装着され、前記引出部が装着位置に位置する場合において、前記筐体外に位置する請求項１に記載の電源装置である。
【０００９】
請求項３の発明は、前記位置決め部は、前記筐体に設けられ、前記引出部をその引出方向へ案内する案内部材と、前記案内部材に設けられ、前記装着位置に位置する前記引出部に当たって、前記引出部の引出方向への移動を規制する規制部と、を有する請求項１又は請求項２に記載の電源装置である。
【００１０】
請求項４の発明は、画像形成装置本体と、前記第１電源回路基板が、前記画像形成装置本体に標準装備された標準部品へ電力を供給し、前記第２電源回路基板が、前記画像形成装置本体に追加された追加部品へ電力を供給する請求項１〜３のいずれか１項に記載の電源装置と、を備える画像形成装置である。
【発明の効果】
【００１１】
本発明の請求項１の構成によれば、装着領域の全体が筐体外に位置する装着位置で引出部を位置決めしない場合に比べ、筐体に収容された第１電源回路基板とは別の第２電源回路基板を引出部に装着しやすい。
【００１２】
本発明の請求項２の構成によれば、引出部が装着位置に位置する場合において第１電源回路基板が筐体外に位置しない場合に比べ、第１電源回路基板に対して保守点検がしやすい。
【００１３】
本発明の請求項３の構成によれば、装着領域の全体が筐体外に位置する装着位置で引出部を位置決めしない場合に比べ、筐体に収容された第１電源回路基板とは別の第２電源回路基板を引出部に装着しやすい。
【００１４】
本発明の請求項４の構成によれば、装着領域の全体が筐体外に位置する装着位置で引出部を位置決めしない場合に比べ、追加部品へ電力を供給する第２電源回路基板を引出部に装着しやすい。
【図面の簡単な説明】
【００１５】
【図１】図１は、本実施形態に係る画像形成装置の全体構成を示す概略図である。
【図２】図２は、本実施形態に係る画像形成装置の外観を示す概略斜視図である。
【図３】図３は、本実施形態に係る画像形成ユニットの構成を示す概略図である。
【図４】図４は、本実施形態に係る第２処理装置を右斜め後方から見た斜視図である。
【図５】図５は、本実施形態に係る電源装置の内部構成を示す概略図である。
【図６】図６は、図４に示す構成において、第１引出板が引き出された状態を示す斜視図である。
【図７】図７は、本実施形態に係る電源装置において、第１引出板が引き出された状態を示す部分拡大図である。
【図８】図８は、本実施形態に係る第２処理装置において、第１引出板が引き出された状態を示す右側面図である。
【図９】図９は、本実施形態に係る電源装置において、第２引出板が引き出された状態を示す部分拡大図である。
【図１０】図１０は、本実施形態に係る電源装置において、第１引出板が引き出された状態を示す平面図である。
【図１１】図１１は、図１０に示す構成において、電源回路基板が追加された状態を示す平面図である。
【図１２】図１２は、本実施形態に係る引出機構の構成を示す斜視図である。
【図１３】図１３は、本実施形態に係る引出機構の構成を示す側面図である。
【図１４】図１４は、図１３に示す構成において、第１引出板を第１筐体から引き出した引き出し開始直後の側面図である。
【図１５】図１５は、図１３に示す構成において、第１引出板が装着位置に位置する状態を示す側面図である。
【図１６】図１６は、図１５に示す状態からさらに第１引出板を上方へ持ち上げた状態を示す側面図である。
【図１７】図１７は、図１６に示す状態からさらに第１引出板を後方へ引き出した状態を示す側面図である。
【図１８】図１８は、図１７に示す状態からさらに第１引出板を上方へ持ち上げた状態を示す側面図である。
【発明を実施するための形態】
【００１６】
以下に、本発明に係る実施形態の一例を図面に基づき説明する。
（本実施形態に係る画像形成装置の構成）
まず、本実施形態に係る画像形成装置の構成を説明する。図１は、本実施形態に係る画像形成装置の構成を示す概略図である。
【００１７】
本実施形態に係る画像形成装置１０は、カラー画像又は白黒画像を形成するものであり、図１及び図２に示すように、水平方向一側（図１における左側）に配置された第１処理装置１０Ａ（画像形成装置本体の一例）と、水平方向他側（図１における右側）に配置された第２処理装置１０Ｂとを備えている。第１処理装置１０Ａと第２処理装置１０Ｂとは、分割可能に接続されている。
【００１８】
第２処理装置１０Ｂは、第２処理装置本体３０２と、画像形成装置１０の各部へ供給される電力をその各部で必要とされる電力に調整するための電源回路基板２３が収容された電源装置３０３と、を備えて構成されている。電源装置３０３には、コンピュータ等の外部装置から送られてくる画像データに画像処理を施す画像処理基板１３も収容されている。
【００１９】
第２処理装置本体３０２は、筐体３０４が載る領域が上方へ突出する突出部３０５が形成された直方体形状に形成されている。なお、電源装置３０３の具体的構成については、後述する。
【００２０】
一方、第１処理装置１０Ａの上部には、第１特別色（Ｖ）、第２特別色（Ｗ）、イエロー（Ｙ）、マゼンタ（Ｍ）、シアン（Ｃ）、ブラック（Ｋ）の各トナーを収容するトナーカートリッジ１４Ｖ、１４Ｗ、１４Ｙ、１４Ｍ、１４Ｃ、１４Ｋが水平方向に沿って交換可能に設けられている。
【００２１】
なお、第１特別色及び第２特別色としては、イエロー、マゼンタ、シアン、ブラック以外の色（透明を含む）から適宜選択される。また、以後の説明では、各構成部品について第１特別色（Ｖ）、第２特別色（Ｗ）、イエロー（Ｙ）、マゼンタ（Ｍ）、シアン（Ｃ）、ブラック（Ｋ）を区別する場合は、符号の後にＶ、Ｗ、Ｙ、Ｍ、Ｃ、Ｋのいずれかを付して説明し、第１特別色（Ｖ）、第２特別色（Ｗ）、イエロー（Ｙ）、マゼンタ（Ｍ）、シアン（Ｃ）、ブラック（Ｋ）を区別しない場合は、Ｖ、Ｗ、Ｙ、Ｍ、Ｃ、Ｋを省略する。
【００２２】
また、トナーカートリッジ１４の下側には、各色のトナーに対応する６つの画像形成ユニット１６（画像形成部の一例）が、各トナーカートリッジ１４と対応するように水平方向に沿って設けられている。各トナーカートリッジ１４と画像形成ユニット１６との間には、露光ユニット４０が設けられている。
【００２３】
画像形成ユニット１６毎に設けられた露光ユニット４０は、前述した画像処理基板１３によって画像処理を施された画像データを画像処理基板１３から受け取り、この画像データに応じて変調した露光光Ｌ（図３参照）を後述の感光体１８（図３参照）へ照射するように構成されている。
【００２４】
各画像形成ユニット１６は、図３に示すように、一方向（図３における時計回り方向）に回転駆動される感光体１８を備えている。各露光ユニット４０から各感光体１８へ露光光Ｌが照射されることにより、各感光体１８には静電潜像が形成される。
【００２５】
各感光体１８の周囲には、感光体１８を帯電する帯電装置の一例としてのコロナ放電方式（非接触帯電方式）のスコロトロン帯電器２０と、露光ユニット４０によって感光体１８に形成された静電潜像を現像剤で現像する現像装置２２と、転写後の感光体１８に残留する現像剤を除去する除去部材としてのブレード２４と、転写後の感光体１８に光を照射して除電を行う除電装置２６が設けられている。
【００２６】
スコロトロン帯電器２０、現像装置２２、ブレード２４、除電装置２６は、感光体１８の表面と対向して、感光体１８の回転方向上流側から下流側へ向けてこの順番で配置されている。
【００２７】
現像装置２２は、トナーを含んだ現像剤Ｇを収容する現像剤収容部材２２Ａと、現像剤収容部材２２Ａに収容された現像剤Ｇを感光体１８に供給する現像ロール２２Ｂを含んで構成されている。現像剤収容部材２２Ａは、トナーカートリッジ１４（図１参照）とトナー供給路（図示省略）を通して接続されており、トナーカートリッジ１４からトナーが供給されるようになっている。
【００２８】
図１に示すように、各画像形成ユニット１６の下側には、転写部３２が設けられている。転写部３２は、各感光体１８と接触する環状の中間転写ベルト３４と、各感光体１８に形成されたトナー画像を中間転写ベルト３４に多重転写させる一次転写部材としての一次転写ロール３６とを含んで構成されている。
【００２９】
中間転写ベルト３４は、図示しないモータで駆動される駆動ロール３８と、中間転写ベルト３４に張力を付与する張力付与ロール４１と、後述する二次転写ロール６２に対向する対向ロール４２と、複数の巻掛ロール４４とに巻き掛けられており、駆動ロール３８により、一方向（図１における反時計回り方向）に循環駆動されるようになっている。
【００３０】
各一次転写ロール３６は、中間転写ベルト３４を挟んでそれぞれの各画像形成ユニット１６の感光体１８と対向配置されている。また、一次転写ロール３６は、給電ユニット（図示省略）によって、トナー極性とは逆極性の転写バイアス電圧が印加されるようになっている。この構成により、感光体１８に形成されたトナー画像が中間転写ベルト３４に転写されるようになっている。
【００３１】
中間転写ベルト３４を挟んだ駆動ロール３８の反対側には、ブレードを中間転写ベルト３４に接触させて、中間転写ベルト３４上の残留トナーや紙粉等を除去する除去装置４６が設けられている。
【００３２】
転写部３２の下方には、用紙等の記録媒体が収容される記録媒体収容部４８が水平方向に沿って２個設けられている。
【００３３】
各記録媒体収容部４８は、第１処理装置１０Ａから引き出し自在とされている。各記録媒体収容部４８の一端側（図１における右側）の上方には、各記録媒体収容部４８から記録媒体Ｐを搬送経路６０へ送り出す送出ロール５２が設けられている。
【００３４】
各記録媒体収容部４８内には、記録媒体Ｐが載せられる底板５０が設けられている。この底板５０は、記録媒体収容部４８が第１処理装置１０Ａから引き出されると、図示せぬ制御手段の指示によって下降するようになっている。底板５０が下降することで、ユーザーが記録媒体Ｐを補充する空間が記録媒体収容部４８に形成される。
【００３５】
第１処理装置１０Ａから引き出された記録媒体収容部４８を第１処理装置１０Ａに装着すると、底板５０が、制御手段の指示によって上昇するようになっている。底板５０が上昇することで、底板５０に載せられた最上位の記録媒体Ｐと送出ロール５２とが当るようになっている。
【００３６】
送出ロール５２の記録媒体搬送方向下流側（以下、単に「下流側」という場合がある）には、記録媒体収容部４８から重なって送り出された記録媒体Ｐを一枚ずつに分離する分離ロール５６が設けられている。分離ロール５６の下流側には、記録媒体Ｐを搬送方向下流側に搬送する複数の搬送ロール５４が設けられている。
【００３７】
記録媒体収容部４８と転写部３２との間に設けられる搬送経路６０は、記録媒体収容部４８から送り出された記録媒体Ｐを第１折返部６０Ａで図１における左側に折り返し、さらに、第２折返部６０Ｂで図１における右側に折り返すように、二次転写ロール６２と対向ロール４２との間の転写位置Ｔへ延びている。
【００３８】
二次転写ロール６２は、給電部（図示省略）によって、トナー極性とは逆極性の転写バイアス電圧が印加されるようになっている。この構成により中間転写ベルト３４に多重転写された各色のトナー画像が、二次転写ロール６２によって、搬送経路６０に沿って搬送されてきた記録媒体Ｐに二次転写される構成となっている。
【００３９】
搬送経路６０の第２折返部６０Ｂへ合流するように、第１処理装置１０Ａの側面から延びる予備経路６６が設けられている。第１処理装置１０Ａに隣接して配置される記録媒体収容部（図示省略）から送り出された記録媒体Ｐが予備経路６６を通って搬送経路６０に入り込むようになっている。
【００４０】
転写位置Ｔの下流側には、トナー画像が転写された記録媒体Ｐを第２処理装置１０Ｂに向けて搬送する複数の搬送ベルト７０が第１処理装置１０Ａに設けられ、搬送ベルト７０に搬送された記録媒体Ｐを下流側に搬送する搬送ベルト８０が第２処理装置１０Ｂに設けられている。
【００４１】
複数の搬送ベルト７０及び搬送ベルト８０のそれぞれは、環状に形成されており、一対の巻掛ロール７２に巻き掛けられている。一対の巻掛ロール７２は、記録媒体Ｐの搬送方向上流側と下流側とにそれぞれ配置されており、一方が回転駆動することにより、搬送ベルト７０（搬送ベルト８０）を一方向（図１における時計回り方向）に循環移動させる。
【００４２】
搬送ベルト８０の下流側には、記録媒体Ｐの表面に転写されたトナー画像を記録媒体Ｐに熱と圧力で定着させる定着ユニット８２が設けられている。
【００４３】
定着ユニット８２は、定着ベルト８４と、定着ベルト８４に対して下側から接触するように配置された加圧ロール８８と、を備えている。定着ベルト８４と加圧ロール８８との間には、記録媒体Ｐを加圧加熱してトナー画像を定着させる定着部Ｎが形成されている。
【００４４】
定着ベルト８４は、環状に形成されており、駆動ロール８９及び従動ロール９０に巻き掛けられている。駆動ロール８９は、加圧ロール８８に対して上側から対向しており、従動ロール９０は、駆動ロール８９よりも上側に配置されている。
【００４５】
駆動ロール８９及び従動ロール９０は、それぞれに、ハロゲンヒータ等の加熱部が内蔵されている。これにより、定着ベルト８４が加熱される。
【００４６】
図１に示すように、定着ユニット８２の下流側には、定着ユニット８２から送り出された記録媒体Ｐを下流側へ搬送する搬送ベルト１０８が設けられている。搬送ベルト１０８は、搬送ベルト７０と同様に形成されている。
【００４７】
搬送ベルト１０８の下流側には、定着ユニット８２によって加熱された記録媒体Ｐを冷却する冷却ユニット１１０が設けられている。
【００４８】
冷却ユニット１１０は、記録媒体Ｐの熱を吸収する吸収装置１１２と、記録媒体Ｐを吸収装置１１２に押し付ける押付装置１１４とを備えている。吸収装置１１２は、搬送経路６０に対する一方側（図１における上側）に配置され、押付装置１１４は、他方側（図１における下側）に配置されている。
【００４９】
吸収装置１１２は、記録媒体Ｐと接触し、記録媒体Ｐの熱を吸収する環状の吸収ベルト１１６を備えている。吸収ベルト１１６は、吸収ベルト１１６へ駆動力を伝達する駆動ロール１２０と、複数の巻掛ロール１１８とに巻き掛けられている。
【００５０】
吸収ベルト１１６の内周側には、吸収ベルト１１６と面状に接触して吸収ベルト１１６が吸収した熱を放熱させるアルミニウム材料で形成されたヒートシンク１２２が設けられている。
【００５１】
さらに、ヒートシンク１２２から熱を奪い熱気を外部へ排出させるためのファン１２８が、第２処理装置１０Ｂの裏側（図１に示す紙面奥側）に配置されている。
【００５２】
記録媒体Ｐを吸収装置１１２に押し付ける押付装置１１４は、記録媒体Ｐを吸収ベルト１１６へ押し付けながら記録媒体Ｐを搬送する環状の押付ベルト１３０を備えている。押付ベルト１３０は、複数の巻掛ロール１３２に巻き掛けられている。
【００５３】
冷却ユニット１１０の下流側には、記録媒体Ｐを挟んで搬送し、記録媒体Ｐの湾曲（カール）を矯正する矯正装置１４０が設けられている。
【００５４】
矯正装置１４０の下流側には、記録媒体Ｐに定着されたトナー画像のトナー濃度欠陥、画像欠陥、画像位置欠陥等を検出する検出装置１８０が設けられている。
【００５５】
検出装置１８０では、光源から記録媒体Ｐへ出射され、記録媒体Ｐによって上方に反射された反射光をＣＣＤ（Charge Coupled Device）イメージセンサ等の検出素子で検出することにより、トナー濃度欠陥、画像欠陥、画像位置欠陥等を検出するようになっている。
【００５６】
検出装置１８０の下流側には、片面に画像が形成された記録媒体Ｐを第２処理装置１０Ｂの側面に取り付けられた排出部１９６に排出する排出ロール１９８が設けられている。
【００５７】
一方、両面に画像を形成させる場合は、検出装置１８０から送出された記録媒体Ｐは、検出装置１８０の下流側に設けられた反転経路２０２に搬送されるようになっている。
【００５８】
反転経路２０２には、搬送経路６０から分岐する分岐パス２０２Ａと、分岐パス２０２Ａに沿って搬送される記録媒体Ｐを第１処理装置１０Ａ側に向けて搬送する用紙搬送パス２０２Ｂと、用紙搬送パス２０２Ｂに沿って搬送される記録媒体Ｐを逆方向に向けて折返してスイッチバック搬送させて表裏を反転させる反転パス２０２Ｃが設けられている。
【００５９】
この構成により、反転パス２０２Ｃでスイッチバック搬送された記録媒体Ｐは、第１処理装置１０Ａに向けて搬送され、さらに、記録媒体収容部４８の上方に設けられた搬送経路６０に入り込み、転写位置Ｔへ再度送り込まれるようになっている。
【００６０】
次に、画像形成装置１０の画像形成工程について説明する。
【００６１】
画像処理基板１３で画像処理が施された画像データが、各露光ユニット４０に送られる。各露光ユニット４０では、画像データに応じて各露光光Ｌを出射して、スコロトロン帯電器２０によって帯電した各感光体１８に露光し、静電潜像が形成される。
【００６２】
図３に示すように、感光体１８に形成された静電潜像は、現像装置２２によって現像され、第１特別色（Ｖ）、第２特別色（Ｗ）、イエロー（Ｙ）、マゼンタ（Ｍ）、シアン（Ｃ）、ブラック（Ｋ）の各色のトナー画像が形成される。
【００６３】
図１に示すように、各画像形成ユニット１６Ｖ、１６Ｗ、１６Ｙ、１６Ｍ、１６Ｃ、１６Ｋの感光体２８に形成された各色のトナー画像は、６つの一次転写ロール３６Ｖ、３６Ｗ、３６Ｙ、３６Ｍ、３６Ｃ、３６Ｋによって中間転写ベルト３４に順次多重転写される。
【００６４】
中間転写ベルト３４に多重転写された各色のトナー画像は、二次転写ロール６２によって、記録媒体収容部４８から搬送されてきた記録媒体Ｐ上に二次転写される。トナー画像が転写された記録媒体Ｐは、搬送ベルト７０によって第２処理装置１０Ｂの内部に設けられた定着ユニット８２に向けて搬送される。
【００６５】
記録媒体Ｐ上の各色のトナー画像が定着ユニット８２により加熱・加圧されることで記録媒体Ｐに定着する。さらに、トナー画像が定着された記録媒体Ｐは、冷却ユニット１１０を通過して冷却された後、矯正装置１４０に送り込まれ、記録媒体Ｐに生じた湾曲が矯正される。
【００６６】
湾曲が矯正された記録媒体Ｐは、検出装置１８０によって画像欠陥等が検出された後、排出ロール１９８によって排出部１９６に排出される。
【００６７】
一方、画像が形成されていない非画像面に画像を形成させる場合（両面印刷の場合）は、検出装置１８０を通過後に、記録媒体Ｐが反転経路２０２で反転され、記録媒体収容部４８の上方に設けられた搬送経路６０に送り込まれて、前述した手順で裏面にトナー画像が形成される。
【００６８】
なお、本実施形態に係る画像形成装置１０では、第１特別色及び第２特別色の画像を形成するための部品（画像形成ユニット１６Ｖ・１６Ｗ、露光ユニット４０Ｖ・４０Ｗ、トナーカートリッジ１４Ｖ・１４Ｗ、一次転写ロール３６Ｖ・３６Ｗ）は、ユーザーの選択により、追加部品として第１処理装置１０Ａに装着可能に構成されている。従って、画像形成装置１０としては、第１特別色及び第２特別色の画像を形成するための部品を有さない構成、第１特別色及び第２特別色のうちいずれか１色の画像を形成するための部品のみを有する構成としてもよい。
【００６９】
一方、イエロー（Ｙ）、マゼンタ（Ｍ）、シアン（Ｃ）、ブラック（Ｋ）の画像を形成するための部品（第１特別色及び第２特別色の画像形成用の部品以外の部品、例えば、画像形成ユニット１６Ｙ・１６Ｍ・１６Ｃ・１６Ｋ、定着ユニット８２）は、標準装備された標準部品として、第１処理装置１０Ａに予め装着されている。
【００７０】
（本実施形態に係る電源装置３０３の構成）
次に、本実施形態に係る電源装置３０３の構成について説明する。
【００７１】
以下では、図中における矢印Ｆ方向を電源装置３０３の前方とし、その反対側（矢印Ｂ方向）を電源装置３０３の後方とし、電源装置３０３の前方側に向かって右側（矢印Ｒ方向）を、電源装置３０３の右側とし、電源装置３０３の前方側に向かって左側（矢印Ｌ方向）を、電源装置３０３の左側として説明する。なお、電源装置３０３におけるこれらの方向は、説明の便宜上定めたものであるから、電源装置３０３における左右方向及び前後方向は、この方向に限られるものではない。
【００７２】
電源装置３０３の前方側は、画像形成装置１０の各種の操作を行うようにされた側、例えば、画像形成装置１０を操作するための操作部１５（図２参照）が配置された側であり、第１処理装置１０Ａにおける記録媒体収容部４８（図１参照）が引き出される側である。
【００７３】
電源装置３０３は、図４に示すように、少なくとも後面側が開放され、各構成部品が収容される第１筐体３０４を備えている。第１筐体３０４は、直方体の枠状に形成されたフレーム３１４と、フレーム３１４の左側面側に設けられた左側板３１６と、フレーム３１４に底面側に設けられた底板３１８と、フレーム３１４の前面側に開閉可能に設けられた開閉カバー３０６と、フレーム３１４の右側面側に着脱可能に設けられた右側面カバー３１２と、フレーム３１４の上面側に着脱可能に設けられた上面カバー３１３と、を備えている。左側板３１６は、第１処理装置１０Ａの右側面に接合され（図１参照）、底板３１８は、第２処理装置本体３０２の突出部３０５の上面に接合されている（図１及び図４参照）。
【００７４】
なお、図４に示すように、開閉カバー３０６及び右側面カバー３１２は、第２処理装置本体３０２の突出部３０５の前面側、右側面側も、それぞれ覆うように設けられている。
【００７５】
第１筐体３０４の後面の開口部３２０Ｂには、第１筐体３０４に対して着脱される後面カバー３２２が設けられている。なお、後面カバー３２２は、第２処理装置本体３０２の突出部３０５の後面側も覆うように設けられている。
【００７６】
第１筐体３０４の内部の上下方向中央部には、図５に示すように、各構成部品が設置される棚板３２４が、底板３１８に沿って設けられている。第１筐体３０４の内部であって、棚板３２４上の後方側には、画像処理基板１３Ｖ、１３Ｙ、１３Ｃ（図１参照）を有する画像処理装置３２６が設置されている。
【００７７】
第１筐体３０４の内部には、図６及び図７に示すように、第１筐体３０４から引出可能な引出部の一例としての第１引出板３３１が、棚板３２４の下方に棚板３２４に対して間隔をあけて設けられている。第１引出板３３１は、棚板３２４に沿って第１筐体３０４内部からその後方側にスライド移動することにより、第１筐体３０４から引き出されるようになっている。
【００７８】
第１引出板３３１は、図８に示すように、第２処理装置１０Ｂが設置された床面からの高さＨが、例えば１２００ｍｍとされており、第１引出板３３１の引出作業をする作業者の胸辺りの高さに配置されている。
【００７９】
第１筐体３０４の内部には、図９に示すように、第１引出板３３１と同様に第１筐体３０４から引出可能な第２引出板３３２が、第１引出板３３１の下方に第１引出板３３１に対して間隔をあけて設けられている。この第２引出板３３２は、第１筐体３０４の底板３１８上に配置されており、底板３１８に沿って第１筐体３０４内部からその後方側にスライド移動することにより、第１筐体３０４から引き出されるようになっている。
【００８０】
第２引出板３３２には、画像形成ユニット１６Ｙ・１６Ｍ・１６Ｃ・１６Ｋに供給される電力を、その画像形成ユニット１６で必要とされる電力に調整するための複数の電源回路基板２３Ａが装着されている。
【００８１】
第１引出板３３１上の後方側であって左側には、図１０に示すように、定着ユニット８２に供給される電力をその定着ユニット８２で必要とされる電力に調整するための第１電源回路基板の一例としての電源回路基板２３Ｂが装着されている。
【００８２】
第１引出板３３１上の後方側であって右側には、図１０に示すように、画像形成ユニット１６Ｖ・１６Ｗの少なくとも１つに供給される電力をその画像形成ユニット１６で必要とされる電力に調整するための第２電源回路基板の一例としての電源回路基板２３Ｖ（図１１参照）が装着される電源回路基板装着部３３８が設けられている。すなわち、電源回路基板２３Ｂは、電源回路基板装着部３３８に対して、第１引出板３３１の引出方向と交差する水平方向側に隣接して設けられている。
【００８３】
電源回路基板装着部３３８には、電源回路基板２３Ｖと電気的に接続可能なコネクタ３３７が設けられている。コネクタ３３７が電源回路基板２３Ｖに接続されることにより、配線３３９を通じて、電源回路基板２３Ｖに対する電力の入力又は出力がなされる。
【００８４】
電源回路基板２３Ｖは、第１特別色及び第２特別色の画像を形成するための部品（画像形成ユニット１６Ｖ・１６Ｗ等）が追加された場合に、図１１に示すように、第１筐体３０４の内部から引き出された第１引出板３３１の電源回路基板装着部３３８に装着されて、追加部品として追加されるようになっている。
【００８５】
ここで、第１引出板３３１及び第２引出板３３２を第１筐体３０４からそれぞれ引き出す第１引出機構３４１及び第２引出機構３４２について説明する。なお、第２引出板３３２における第２引出機構３４２は、第１引出板３３１における第１引出機構３４１と、同様に構成されているので、説明を省略する。
【００８６】
第１引出機構３４１は、図１２に示すように、第１筐体３０４の右側面側及び左側面側に設けられた案内部材３５０と、第１引出板３３１の右側部及び左側部に設けられ案内部材３５０に案内される被案内部材３６０と、を備えている。
【００８７】
なお、図１２においては、第１筐体３０４の左側面側に設けられた案内部材３５０と、第１引出板３３１の左側部に設けられた被案内部材３６０とが、図示されている。また、第１筐体３０４の右側面側の案内部材３５０及び第１引出板３３１の右側部の被案内部材３６０は、それぞれ、第１筐体３０４の左側面側の案内部材３５０、第１引出板３３１の左側部の被案内部材３６０に対して、左右対称に形成されている点を除けば、同様に構成されているので、説明を省略する。
【００８８】
案内部材３５０は、第１筐体３０４の左側面側に設けられ筐体３０４の前後方向に長さを有する側板３５２と、側板３５２と一体に側板３５２の下端から右側に張り出し前後方向に長さを有する底板３５４と、を備えている。
【００８９】
具体的には、側板３５２及び底板３５４は、図１３に示すように、第１筐体３０４の左側面側にある前方側のフレーム３１４から後方側のフレーム３１４に渡って配置されている。
【００９０】
底板３５４の後端には、図１２に示すように、規制部の一例としてのストッパー３５６が形成されている。ストッパー３５６は、第１筐体３０４から引き出された第１引出板３３１を、電源回路基板２３Ａ及び電源回路基板装着部３３８の全体が第１筐体３０４外に位置する装着位置（図１０参照）における第１引出板３３１の後述の突当て部材３６６に当って、第１引出板３３１の引出方向への移動を規制するようになっている。
【００９１】
すなわち、ストッパー３５６が形成された案内部材３５０は、電源回路基板２３Ａ及び電源回路基板装着部３３８の全体が第１筐体３０４外に位置する装着位置で第１引出板３３１を第１筐体３０４に対して位置決めする位置決め部として機能する。
【００９２】
側板３５２の上端には、側板３５２から右側に張り出す上板３５８が、側板３５２の長さ方向に沿って側板３５２と一体に形成されている。具体的には、上板３５８は、図１３に示すように、前端から前後方向中央よりも後端側の位置まで形成されており、側板３５２の後端部には形成されていない。
【００９３】
上板３５８の左右方向の幅は、図１２に示すように、案内部材３５０の側板３５２の左右方向の幅よりも短く、被案内部材３６０の後述の側板３６２の上端面を覆う程度とされており、被案内部材３６０が上方へ移動すると、後述の側板３６２の上端面が上板３５８に当るようになっている。
【００９４】
被案内部材３６０は、案内部材３５０の側板３５２の右面に沿って設けられ前後方向に長さを有する側板３６２と、側板３６２と一体に側板３６２の下端から右側に張り出し前後方向に長さを有する底板３６４と、を備えている。
【００９５】
底板３６４の底面には、ストッパー３５６に突き当たる突当て部材３６６が設けられている。突当て部材３６６は、ストッパー３５６に突き当たることにより後方への移動が規制される被規制部として機能する。突当て部材３６６は、底板３６４から下方へ突出しており、案内部材３５０の底板３５４に接触してスライド移動するようになっている。
【００９６】
また、底板３６４の前端の底面には、図１３に示すように、底板３６４から下方へ突出され、底板３５４に接触してスライド移動可能な接触部材３６５が設けられている。この接触部材３６５は、第１引出板３３１の後端側を持ち上げた際に、支点として機能し、接触部材３６５を中心として第１引出板３３１の後端側が回転可能とされている。
【００９７】
また、底板３６４の底面には、底板３６４から下方へ突出され、底板３５４に接触する接触部材３６３が、接触部材３６５よりも後端側であって突当て部材３６６よりも前端側に設けられている。
【００９８】
側板３６２には、上端が前端側よりも高く張り出した張出部３６２Ａが形成されている。側板３６２の張出部３６２Ａよりも前端側には、張出部３６２Ａよりも一段下に凹んだ凹部３６２Ｂが形成されている。側板３６２の凹部３６２Ｂよりも前端側には、張出部３６２Ａよりも低く凹部３６２Ｂよりも高く突出した突出部３６２Ｃが形成されている。
【００９９】
被案内部材３６０が装着位置に位置する場合には、図１５に示すように、張出部３６２Ａが案内部材３５０の上板３５８よりも後方側に位置し、案内部材３５０の上板３５８の下方位置には、凹部３６２Ｂ及び突出部３６２Ｃが位置するようになっている。これにより、案内部材３５０の上板３５８と被案内部材３６０の側板３６２との間に隙間が形成され、図１６に示すように、側板３６２を上方へ持ち上げることが許容される。側板３６２を上方へ持ち上げることにより、突当て部材３６６、ストッパー３５６が、上下に離れるようになっている。
【０１００】
（本実施形態に係る電源装置３０３の作用）
次に、本実施形態に係る電源装置３０３の作用として、第１特別色及び第２特別色の画像を形成するための部品（画像形成ユニット１６Ｖ・１６Ｗ、露光ユニット４０Ｖ・４０Ｗ、トナーカートリッジ１４Ｖ・１４Ｗ、一次転写ロール３６Ｖ・３６Ｗ）が第１処理装置１０Ａで追加された場合に、電源装置３０３において、電源回路基板２３Ｖを追加する追加手順を説明する。
【０１０１】
電源回路基板２３Ｖを追加する場合には、図４に示すように、電源装置３０３の後面カバー３２２を取り外す。
【０１０２】
次に、第１筐体３０４の開口部３２０Ｂを通じて、図６に示すように、第１引出板３３１を第１筐体３０４の内部から後方側へ引き出す。
【０１０３】
第１引出板３３１が引き出されると、図１４に示すように、被案内部材３６０の側板３６２の張出部３６２Ａが、案内部材３５０の上板３５８と底板３５４に挟まれた状態でスライド移動する。
【０１０４】
第１引出板３３１がさらに引き出されると、図１５に示すように、第１引出板３３１の被案内部材３６０の突当て部材３６６が、ストッパー３５６に突き当たり、電源回路基板２３Ａ及び電源回路基板装着部３３８の全体が第１筐体３０４外に位置する装着位置（図１０参照）で、第１引出板３３１が位置決めされる。
【０１０５】
図１１に示すように、第１筐体３０４外の装着位置に位置する状態の電源回路基板装着部３３８に、電源回路基板２３Ｖが装着される。このため、電源回路基板２３Ｖを第１引出板３３１に装着する際に、第１筐体３０４が干渉しにくく、電源回路基板２３Ｖを第１引出板３３１に装着しやすい。
【０１０６】
また、上記のように第１引出板３３１が引き出された状態において、第１引出板３３１に装着された電源回路基板２３Ａに対する交換及び保守点検がなされる。このため、電源回路基板２３Ａの交換や電源回路基板２３Ａに対する保守点検の際に、第１筐体３０４が干渉しにくく、電源回路基板２３Ａの交換や電源回路基板２３Ａに対する保守点検がしやすい。
【０１０７】
さらに、第１引出板３３１自体を第１筐体３０４から取り外す際には、図１６に示すように、装着位置における第１引出板３３１を持ち上げると、ストッパー３５６から突当て部材３６６が外れると共に、被案内部材３６０の側板３６２の凹部３６２Ｂが、案内部材３５０の上板３５８に当る。
【０１０８】
次に、図１７に示すように、第１引出板３３１を持ち上げた状態で、さらに後方へ引き出す。これにより、被案内部材３６０全体が、案内部材３５０の上板３５８よりも後方側に抜けた状態となる。
【０１０９】
この状態からさらに、第１引出板３３１を持ち上げることにより、図１８に示すように、第１引出板３３１が第１筐体３０４から取り外される。
【０１１０】
本発明は、上記の実施形態に限るものではなく、種々の変形、変更、改良が可能である。
【符号の説明】
【０１１１】
１０Ａ 第１処理装置（画像形成装置本体の一例）
３０４ 筐体
３３１ 第１引出板（引出部の一例）
３５０ 案内部材（位置決め部の一例）
３５６ ストッパー（規制部、位置決め部の一例）
【図１】
2011107399.tif 000003
【図２】
2011107399.tif 000004
【図３】
2011107399.tif 000005
【図４】
2011107399.tif 000006
【図５】
2011107399.tif 000007
【図６】
2011107399.tif 000008
【図７】
2011107399.tif 000009
【図８】
2011107399.tif 000010
【図９】
2011107399.tif 000011
【図１０】
2011107399.tif 000012
【図１１】
2011107399.tif 000013
【図１２】
2011107399.tif 000014
【図１３】
2011107399.tif 000015
【図１４】
2011107399.tif 000016
【図１５】
2011107399.tif 000017
【図１６】
2011107399.tif 000018
【図１７】
2011107399.tif 000019
【図１８】
2011107399.tif 000020